(57)【特許請求の範囲】
【請求項１】
コンテンツを受信する手段と利用者の操作に基づく操作信号を受け付ける手段とを備えて該操作信号に応じて表示情報を制御する処理装置により、表示部の画面に複数のメディアのコンテンツを表示するマルチメディア情報の表示方法において、
仮想的な三次元空間内で利用者を取り囲む円に複数のコンテンツ表示区域が配列された状態で、少なくとも複数の該コンテンツ表示区域を含む該円の一部が該画面内の仮想的な三次元空間内に表示されて、該コンテンツ表示区域毎に選ばれた複数のコンテンツに対応するコンテンツ情報が配置され、
該コンテンツ表示区域は夫々、該円の中心から該画面での奥行き方向に伸びるように設定され、
該コンテンツ情報の中から利用者の操作に応じて選ばれたコンテンツ情報が属するコンテンツ表示区域が、該画面の長手方向の中央付近に表示されるように、配置されるとともに、利用者の操作に応じて、該円が回転することにより、該円に配列される該コンテンツ表示区域が移動して、該画面の長手方向の中央付近に表示される該コンテンツ表示区域を変更可能とし、
該利用者が該画面の長手方向の中央付近に表示される該コンテンツ表示区域での該コンテンツ情報の選択操作により、選択された該コンテンツ情報に関係するコンテンツの詳細情報を該画面の一部に表示し、
該コンテンツ表示区域及び該コンテンツ情報は、利用者の過去の視聴履歴に基づいて作成されたユーザプロファイル内のデータから選択された所定利用者に対応するデータを読み出して、当該利用者のユーザモードに従って表示されるものであり、
該画面での該コンテンツ表示区域の外のエリアにカーソルを移動させることにより、他のユーザモードの選択操作を受け付けて、該ユーザプロファイル内のデータから選択された他の利用者に対するデータを読み出して、当該他のユーザモードに従って、該仮想的な三次元空間内で該コンテンツ情報が配置されている該コンテンツ表示区域が配列された円の一部を表示する
ことを特徴とするマルチメディア情報の表示方法。
【請求項２】
前記ユーザプロファイルは、複数のメディアのコンテンツに対する利用者の過去の利用記録に基づいて前記コンテンツの利用度合いを表わす変数を付与したデータを有し、該変数に応じて前記コンテンツ情報の表示の仕方を異ならせることを特徴とする請求項１記載のマルチメディア情報の表示方法。
【請求項３】
前記ユーザプロフイルは、利用者が利用したコンテンツの利用時間を加味した変数を付与して作成されることを特徴とする請求項１または２記載のマルチメディア情報の表示方法。
【請求項４】
前記複数のコンテンツ情報は、利用者の利用度合いに応じて表示の大きさが決められていることを特徴とする請求項１ないし３のうちいずれかに１記載のマルチメディア情報の表示方法。
【請求項５】
前記複数のコンテンツ情報は、手前側が大きく表示され、奥行き方向に行くに従って小さく表示されることを特徴とする請求項１〜４のうちいずれかに１記載のマルチメディア情報の表示方法。
【発明の詳細な説明】
【技術分野】
【０００１】
本発明は、多量かつ多様なマルチメディア情報の中から利用者が自分の希望する情報を容易に探し出して選択することができる使い勝ってのよいマルチメディア情報の表示方法に関する。
【背景技術】
【０００２】
近年、ＴＶ放送の技術分野において、ＣＳディジタル放送の普及に加え、ＢＳ放送、地上波放送のディジタル化が開始されようとしている。
そして、多量かつ多様なコンテンツや各種情報が放送メディア或いは通信を介して家庭に送り込まれようとしている。
【０００３】
以下の説明ではコンテンツや各種情報をまとめてコンテンツと表現し、特許請求の範囲においても同様の扱いとする。
また、パーソナルコンピュータ（以下ＰＣという。）の技術分野においてはネットワーク化が進み、インターネットによるＷＷＷを始めとして世界中の情報の検索を行うことが可能となっている。
【０００４】
そして、ＴＶとＰＣとは別々のユーザ、別々の目的のために使用されてきたが、今後ＴＶあるいはＰＣが情報の窓として機能していくものと期待され、この場合、ＴＶとＰＣとが融合された姿に移行していくものと予想される。
前述のような多量かつ多様なコンテンツを扱う従来技術として、ＴＶ放送においては数時間の映像保存手段を持ち、ニュース、天気予報等の時間と共に変更される情報を最新のものに自動更新して何時でも見ることができるようにするサービスが提案されている。
また、多量かつ多様なコンテンツの選択のためのインタフェースとしては番組表の表示、目次としてのメニューの表示、保存したコンテンツを提示するためにコンテンツ内容を表すコンテンツ情報としてアイコンと称されるキャラクターを使用する技術等が提案されている。
以下、アイコン等のキャラクターをコンテンツ情報と言い、特許請求の範囲においても同様の扱いとする。
【発明の開示】
【発明が解決しようとする課題】
【０００５】
前述したように、ＴＶとＰＣとが融合され多量かつ多様なコンテンツが送り込まれてくるが、このような多量かつ多様なコンテンツを前にして利用者が自分の求める情報を自ら取捨選択していくことは極めて困難となることが予想される。
前述したインタフェースに関する従来技術は番組表の表示、目次としてのメニューの表示、コンテンツ情報（アイコン）によるコンテンツの表示であり、コンテンツが多量になればメニュー等を階層構造としなければ全てのコンテンツ情報を表示することができなくなり、利用者がこれらの中から所望のものを選択することが極めて困難になるという問題を有している。
【０００６】
更に、自動車においてはカーナビゲーションシステムや高度道路交通システムと呼ばれる自動車情報システムが導入されつつあり、道路の案内情報、交通情報や娯楽施設情報等の多様な情報が自動車情報システムに取り込まれるようになってきているが、これについても同じような問題を有している。
【０００７】
本発明の目的は、多量かつ多様なコンテンツから利用者が所望の情報を容易に選択することを可能とし、あるいは、利用者に代わって利用者の嗜好に応じた情報を選択して記録保存を行い、あるいは、取捨選択して記録保存したコンテンツを利用者にとって最適に表示することができる使い勝手のよいマルチメディア情報の表示方法を提供することにある。
【課題を解決するための手段】
【０００８】
上記目的を達成するために、本発明は、コンテンツを受信する手段と利用者の操作に基づく操作信号を受け付ける手段とを備えて操作信号に応じて表示情報を制御する処理装置により、表示部の画面に複数のメディアのコンテンツを表示するマルチメディア情報の表示方法であって、仮想的な三次元空間内で利用者を取り囲む円に複数のコンテンツ表示区域が配列された状態で、少なくとも複数のコンテンツ表示区域を含む円の一部が画面内の仮想的な三次元空間内に表示されて、コンテンツ表示区域毎に選ばれた複数のコンテンツに対応するコンテンツ情報が配置され、コンテンツ表示区域は夫々、円の中心から画面での奥行き方向に伸びるように設定され、コンテンツ情報の中から利用者の操作に応じて選ばれたコンテンツ情報が属するコンテンツ表示区域が、画面の長手方向の中央付近に表示されるように、配置されるとともに、利用者の操作に応じて、円が回転することにより、円に配列されるコンテンツ表示区域が移動して、画面の長手方向の中央付近に表示されるコンテンツ表示区域を変更可能とし、利用者が画面の長手方向の中央付近に表示されるコンテンツ表示区域でのコンテンツ情報の選択操作により、選択されたコンテンツ情報に関係するコンテンツの詳細情報を画面の一部に表示し、コンテンツ表示区域及びコンテンツ情報は、利用者の過去の視聴履歴に基づいて作成されたユーザプロファイル内のデータから選択された所定利用者に対応するデータを読み出して、当該利用者のユーザモードに従って表示されるものであり、画面でのコンテンツ表示区域の外のエリアにカーソルを移動させることにより、他のユーザモードの選択操作を受け付けて、ユーザプロファイル内のデータから選択された他の利用者に対するデータを読み出して、当該他のユーザモードに従って、仮想的な三次元空間内でコンテンツ情報が配置されているコンテンツ表示区域が配列された円の一部を表示することを特徴とするものである。
【０００９】
また、本発明は、ユーザプロファイルは、複数のメディアのコンテンツに対する利用者の過去の利用記録に基づいてコンテンツの利用度合いを表わす変数を付与したデータを有し、変数に応じてコンテンツ情報の表示の仕方を異ならせることを特徴とするものである。
【００１０】
また、本発明は、ユーザプロフイルは、利用者が利用したコンテンツの利用時間を加味した変数を付与して作成されることを特徴とするものである。
【００１１】
また、本発明は、複数のコンテンツ情報は、利用者の利用度合いに応じて表示の大きさが決められていることを特徴とするものである。
【００１２】
また、本発明は、複数のコンテンツ情報が、手前側が大きく表示され、奥行き方向に行くに従って小さく表示されることを特徴とする。
【発明の効果】
【００１６】
以上説明したように、本発明によれば提供される多量かつ多様なコンテンツから利用者が所望の情報を容易に選択することが可能とし、また、利用者に代わって利用者の嗜好に応じた情報を選択して記録保存を行い、あるいは、取捨選択して記録保存したコンテンツを利用者にとって最適に表示することができる使い勝手のよいマルチメディア情報の表示方法を提供することができる。
【発明を実施するための最良の形態】
【００１７】
以下、本発明によるマルチメディア情報の表示方法の実施形態を図面により詳細に説明する。
図１に示す本発明の一実施形態によるマルチメディア情報の処理装置１００は、情報としてのメディアがＴＶ放送等のような一方向通信によるメディアのみを対象とした処理装置であり、アンテナ２００からの放送信号を受信し、リモコン装置４００からの利用者による制御により利用者が選択した映像、音声をディスプレイ３００に表示するものである。
そして、処理装置１００は信号分離装置１０１、情報デコーダ１０２、情報バッファ１０３、比較部１０４、ユーザプロファイル１０５、Ａ／Ｖデコーダ１０６、映像記録装置１０７、表示映像切り替え部１０８、ガイド画面作成部１０９、ファイリング装置１１０、時計カレンダー１１１、表示データ選定部１１２、コマンド受信部１１３を備えて構成されている。
【００１８】
前述において、信号分離装置１０１は放送信号を受信復調する機能を有し、送信されてくる映像、音声を含む情報とこの情報に付随する関連情報とを分離し、これらの情報のそれぞれをＡ／Ｖデコーダ１０６、情報デコーダ１０２に転送する。
情報デコーダ１０２に与えられる関連情報は例えばＴＶ放送の場合は番組情報であり、タイトル、時間（開始時間〜終了時間）、ジャンル・サブジャンル、出演者・選手・監督・ｅｔｃ、紹介文、メディア・局名等のテキストデータであり、デコードされたデータは情報バッファ１０３に格納される。
【００１９】
なお、ＴＶ放送等では多数の番組が並列に放送されているが、信号分離装置１０１、情報デコーダ１０２は全ての番組の関連情報を分離してデコードすることが可能であり、それらの情報が情報バッファ１０３に格納される。
ユーザプロファイル１０５は処理装置１００が家庭で使用される場合には家族の構成にあわせてそれぞれに複数備えられてよく、或いは個人に対して目的別に複数備えられていてもよい。
そして、このユーザプロファイル１０５は各個人が過去に放送メディアを利用した履歴、この場合は視聴した履歴により作成されるものである。
この履歴はジャンル・サブジャンルの得点、キーワード（タイトル、出演者、紹介文等）毎の得点、前述得点データの時間帯毎の得点等が記録されている。
【００２０】
尚、前述の得点は放送メディアを視聴したときの各ジャンル毎等の視聴頻度、視聴時間等に基づいて演算されるもので、これは各ジャンル毎の利用度合を表しており、上述した得点に限定されるものではなく要は利用度合を表す変数であれば良い。
比較部１０４は情報バッファ１０３に格納されたデータとユーザプロファイル１０５に格納されているデータとを比較して合致度を検出するもので、具体的には現在放送されている番組の番組情報の中にユーザプロファイル１０５内のデータで高得点を持っているものを検出し、そのデータをファイリング装置１１０に渡すようになっている。
ファイリング装置１１０はそのデータを個人対応に記録すると共にそのデータに基づいて映像記録装置１０７を制御する。
一方、信号分離装置１０１からの映像、音声を含む情報を受け取ったＡ／Ｖデコーダ１０６は放送されている番組の映像、音声を含む情報をデコードして映像記録装置１０７及び表示映像切り替え部１０８に転送している。
【００２１】
映像記録装置１０７はファイリング装置１１０からのデータに基づいてファイリング装置１１０により指定された番組の映像、音声の情報を記録する。
利用者は処理装置１００を操作してＴＶ放送、映像記録装置１０７に記録されている情報を視聴しようとする場合、リモコン装置４００を操作して操作コマンドを順次処理装置１００に送信する。
処理装置１００のコマンド受信部１１３はリモコン装置４００からのコマンドを受信し、そのコマンドを表示データ選定部１１２に渡すものである。
表示データ選定部１１２は受け取ったコマンドに従って、或いはコマンドに個人識別データが含まれる場合にはファイリング装置１１０の対応するものを選択してそのデータと共にコマンドをガイド画面作成部１０９に転送する。
【００２２】
ガイド画面作成部１０９は受け取ったコマンド、ファイリング装置内のデータ、映像記録装置１０７内に保存それている映像等の情報に基づいてガイド画面を作成する。
表示映像切り替え部１０８はＡ／Ｖデコーダ１０６、映像記録装置１０７、ガイド画面１０９からの映像を選択してディスプレイ３００に表示する。尚、前述の利用者による操作、ガイド画面、映像の選択についての詳細は後述する。
図２に示すマルチメディア情報の処理装置１００はＴＶ放送による一方向通信メディアとＣＡＴＶ回線或いは電話（携帯電話機能を備えた通信装置も含む。）等の通信回線５００を介してインターネット等から得られる双方向通信メディアとを対象とした処理装置である。
【００２３】
この図２に示す処理装置１００は通信回線５００からの情報を取り込むＷＷＷブラウザ１１４と映像情報、音声信号を分離する信号分離装置１０１'及び最新情報バッファ１１５とを図１に示した処理装置１００に加えて構成されている。
前述において、ＷＷＷブラウザ１１４からの情報含まれるその情報に関するデータはタイトル、ディレクトリ上のジャンル・サブジャンル、紹介文、キーワード等であり、例えば、ユーザが過去にアクセスしたことのあるホームページの最近の２ヶ月程度が最新情報バッファ１１５に格納され、図１により説明した情報バッファ１０３に格納されたデータの場合と同様に利用される。
【００２４】
また、ＷＷＷブラウザ１１４からの情報含まれる映像情報等は信号分離装置１０１'を介して分離され、Ａ／Ｖデコーダ１０６に与えられる。
この信号分離装置１０１'からの信号も図１により説明した信号分離装置１０１からの信号の場合と同様に利用される。
【００２５】
図３に示すマルチメディア情報の処理システムはユーザプロファイルの作成、保存をサービス・プロバイタに行わせると共に、通信回線を介して得られる情報の処理を携帯端末、ＰＣ等に行わせるようにしたものである。
そして、図示処理システムは処理装置１００とサービス・プロバイダ６００及び携帯端末、ＰＣ等による処理装置７００とにより構成される。
【００２６】
処理装置１００は図１により説明した処理装置１００からユーザプロファイル１０５を除いて構成され、サービス・プロバイダ６００と通信回線により接続されている。
サービス・プロバイダ６００は処理装置１００からのコマンド情報、ファイリング装置１００内のデータ等に基づいて利用者の各個人に対するユーザプロファイル６０１を作成して保持し、利用者が処理装置１００を利用して映像情報等を視聴する場合に処理装置１００の比較部１０３に送信する。
【００２７】
このユーザプロファイル６０１内の情報は図１により説明したユーザプロファイル１０５の内容の場合と同様に処理装置１００により利用される。
サービス・プロバイダ６００は著名人プロファイル６０２、プロバイダお薦め情報６０３を作成し、利用者が処理装置１００を利用して映像情報等を視聴する場合の参考として提供する。
処理装置７００は比較部７０１と、最新情報バッファ７０２と、携帯電話機等に接続されているＷＷＷブラウザ７０３と、ファイリング装置７０４及び操作部７０５とを備えて構成され、図２により説明した通信回線を介してメディア情報に対する処理を行う。
利用者は処理装置７００に接続されているディスプレイ８００を使用してインターネット等からの情報を視聴することができる。
【００２８】
この場合、利用者は操作部７０５を使用してＷＷＷブラウザ７０３を操作して所望の情報を取り出すが、この取り出しに当って過去の情報を格納している最新情報バッファ７０２内のデータ、サービス・プロバイダ６００のユーザプロファイル６０１内のデータが比較部７０１を介して参照される。
処理装置７００は携帯電話機９００を接続してインターネット等からの情報を取り込み、また、サービス・プロバイダ６００との間のデータ通信を行ってサービス・プロバイダ６００内にユーザプロファイル６０１を作成させる。
また、処理装置７００がＰＣ等により構成される場合には携帯電話機９００を接続する代わりに電話回線を接続してもよい。
次に、前述で説明した本発明の実施形態の処理装置１００を操作するためのリモコン装置４００の構成を図４を参照して説明する。
【００２９】
当然のことではあるが、処理装置１００内にもリモコン装置４００により操作することができると同等な操作を行うことのできる操作機構が備えられていてもよい。
リモコン装置４００は本体部４０１と、図４（ａ）の上面図に示すように上面に設けられた電源スイッチ４０２と、メニュースイッチ４０３と、ズームアップ／ズームダウンスイッチ４０４と、回転ダイヤル４０５と、カーソルスイッチ４０６と詳細スイッチ４０７と、図４（ｂ）の断面図に示すように内部に設けられる回線基板４１１と、該基板４１１上に設けられる接続ＩＣ４１４と、赤外線発光部４１０と、回転ダイヤル４０５に対する回転検出部４１３及び各スイッチを構成するタクトスイッチ４１２とを備えて構成される。
なお、前述したリモコン装置４００における各スイッチ及び回転ダイヤル４０５の持つ機能、使用方法等については後述する。
【００３０】
また、図１乃至図３に示した処理装置１００の操作は図４（ａ）、図４（ｂ）に示した構成のリモコン装置により行うことができるが、映像記録装置１０７から映像を直接再生するという要求がある場合には、図４（ｃ）に示すようにリモコン装置４００に映像記録装置１０７を直接制御するためのスイッチ群４０９を設けることができる。
次に、多量かつ多様なコンテンツの中から利用者に自分が希望するコンテンツを選択させるためのガイド画面の例とその基本的な考え方について説明する。
図５は本発明による情報選択のためのガイド（インタフェース）画面例を説明する図であり、図６はその基本的な考え方を説明する図である。
一般に、インタフェースの評価は認知性（見易さ、判り易さ）と操作性（使い易さ）とによって行われる。
【００３１】
本発明はインタフェース画面の認知性の向上を図るために日常生活の場に近い仮想的な三次元空間をモデルとした「認知モデル」を設定している。
これにより、本発明の認知モデルによるインタフェース画面は利用者がインタフェース画面を見たときにも日常の行動様式に合った自然な勘を働かせることができ、初めてでも使いやすく、覚え易いものとなる。
すなわち、本発明の基本的な考え方は図６に示すように平面に立つ自分を取り囲むようにアイコンといったコンテンツを定義付けしたコンテンツ情報を並べ、このコンテンツ情報に関する詳細を見る場合には手元のノートに視線を落してノートの記載を見るようにしたことである。
【００３２】
また、他の選択方法（キーワード検索等）に移りたい場合には前方頭上に掲げてあるメニュー看板を見上げるようにするというものある。
このような表示を行わせることによって、日常の行動様式に近い形で画面の操作を行うことができるようにするというものである。
各種のコンテンツ情報は左右方向すなわち自分の立っている周囲に、ジャンル別、カテゴリー別に選択されて並べられている。
【００３３】
また、お薦め度が高い、或いは利用者の興味の大きい、或いは利用回数が多いといった利用度合が高いものが前方に配置され、利用度合が低くなるにしたがって奥行方向に向かって大きさが順次小さくなる順番で並べられている。尚、以下の説明ではお薦め度が高いもの、或いは利用者の興味の大きいもの、或いは利用回数が多いもの等をまとめて利用度合という表現を用い、特許請求の範囲においても同様の扱いとする。
このような表示を行うことにより、利用者は自分の視野を左右に変化させることにで周囲にあるコンテンツ情報を見渡すことができ、また、薦められているコンテンツ情報の全体像を見渡すことができる。
【００３４】
そして、利用者は近いところにある目立つコンテンツ情報が一番のお薦めのコンテンツ情報、或いは自分に興味のあるコンテンツ情報、或いは利用回数の多いコンテンツ情報といった利用度合の高いコンテンツ情報なので、目についたところからそのコンテンツ情報を選択して容易に利用或いは視聴することができる。
前述のような考え方に基づいて作成したインタフェース画面の具体例が図５に示されており、この例では利用者が立っている中心から前方のコンテンツ情報のみが見えているが、後方にもコンテンツ情報は配置されている。
【００３５】
そして、図５に示す例ではファッションに関するコンテンツジャンル（ＦＡ）、旅行に関するコンテンツジャンル（ＴＲ）、映画に関するコンテンツジャンル（ＭＯ）、生活時間であるモーニング、イブニングに配信されるお薦めのコンテンツジャンル（ＴＩ）というように複数のコンテンツ表示区域が設定されており、それぞれのコンテンツ表示区域にそれぞれに対応するコンテンツ情報が配置されている。
このコンテンツ表示区域は奥行方向に伸びており、奥に行くほど遠くなる印象を利用者に与えるように設定されている。
この場合のコンテンツ情報はＦＡ１、ＴＶ１〜ＴＶ３、ＭＯ１〜ＭＯ６、ＴＩ１〜ＴＩ４で表示してあり、通常アイコンと称されているものに該当する。
尚、この図には見えない後方にも他のコンテンツ情報が配置されており、リモコン装置４００の回転ダイヤル４０５を操作することによって視野を左右に変化させ画面内に呼び出すことができる。
【００３６】
そして、前述したように各コンテンツ表示区域にはお薦め度が高いもの、或いは、利用者の興味の大きいもの、或いは利用回数の多いものといった利用度合が高いものから奥行方向に向かって大きさが順次小さくなる順番で並べられている。
また、奥行方向は画面の上側に向かって伸びており、これにしたがってコンテンツ情報も画面の上側に行くに従って小さく表示されるように設定されている。
次に、利用者が立っているとしている中心点の周囲に配置するコンテンツ表示区域の分類は任意である。
【００３７】
例えば、各種の情報誌等で使用されているジャンル別によるお薦めコンテンツの集合、ライフスタイルに基づく各スタイル毎のお薦めコンテンツの集合、サブカテゴリーとしての利用者が興味を持つであろうキーワード（例えば、タレント名、番組名等）に関するコンテンツの集合などが考えられるが、これらに限定されるものではない。
【００３８】
本発明の認知モデルによるインタフェース画面はよりリアルな表現を行うため、遠くにあるコンテンツ情報の大きさを小さく表示するだけでなく、空気遠近法の表現を利用してコンテンツ情報の明度、彩度、色味を変化したり、少しぼかして表示することができる。
図７〜図１５は本発明の実施形態による処理装置の操作を説明するフローチャート、図１６〜図１９は操作に従って順次表示される画面例を示す図である。
以下、図１６〜図１９に示す画面例を参照して図７〜図１５に示すフローを説明するが、以下に説明するフローは図２に示す処理装置に関するものである。ここで、図１及び図３の場合も同様の処理が行われるので説明は省略する。
【００３９】
（１）．図７に示すフローにおいて、処理装置１００の電源がオンとされると図１６（ａ）に示すようなユーザ選択画面が表示される。（ステップ１００１、１００２）
（２）．処理装置１００の電源をオンとした利用者は自分が誰であるかをリモコン装置４００のカーソルスイッチ４０６を上下左右に操作して表示されているユーザ名にカーソルを移動させることにより選択し、カーソルスイッチ４０６を押し下げることにより決定入力する。
【００４０】
このリモコン装置の操作はフロー内で丸で囲んだ「Ｗ」により示されており、以下の説明では操作Ｗとしてこの操作を説明する。（ステップ１００３）
（３）．ユーザ名が選択入力されると、選択されたユーザモードが処理装置に設定される。（ステップ１００５）
（４）．ステップ１００３で所定時間（例えば５秒程度）の間にユーザ名の入力が行われない場合、この処理装置を共通に使用するのが家族であればファミリーモードが自動的に選択設定される。
また、この処理装置を共通に使用するのが家族でない場合、それらのユーザに共通な予め決められたモード、例えば前回最後に見ていた番組のチャネルモード、あるいは、システムでのお薦めチャネルモードが設定される。（ステップ１００４）
（５）．ステップ１００４、１００５で設定されたモードにより選択されたユーザのプロファイルに従ったオンエア中の番組が図１６（ｂ）に示すように表示される。（ステップ１００６）
（６）．図１６（ｂ）に示すような画面が表示されている状態で、利用者が他の番組あるいは情報の選択を行う場合、利用者はリモコン装置４００のメニュースイッチ４０３を押す。
【００４１】
これにより、図１６（ｃ）に示すようにあたかも利用者自身の視線を上方に移したように画面の上部にメニューが表示される。（ステップ１００７、１００８）
（７）．ステップ１００８で表示されるメニューは、例えば「おすすめ」、「他メディアから選ぶ」、「キーワードから検索」、「メールコーナー」、［天気予報、ＮＥＷＳのミニ情報］等であり、利用者はこれらの１つをカーソルスイッチの操作Ｗを行うことにより選択する。
これにより、それらのメニューに対応した画面が表示されるわけであるが、ここではメニューから「おすすめ」が選択されたものとする。（ステップ１００９）
（８）．図８のフローに移り、まず、図１６（ｄ）に示すようなお薦めのコンテンツを示すコンテンツ情報（アイコン）群が図５に示すようにお薦め度の高いものを手前として表示される。ここで選ばれたコンテンツ情報が属するコンテンツ表示区域が画面の長手方向の中央付近に表示される。（ステップ１１００）
（９）．ここで、薦められているコンテンツの詳細を知るために利用者がリモコン装置４００の詳細スイッチ４０７を押すと、図１６（ｅ）に示すように本をかざして見るように画面の下方に最もお薦め度の高いコンテンツのタイトル（ＴＬ）が表示される。（ステップ１１０１、１１０６）
（１０）．利用者がそのコンテンツのさらに詳細な情報を知りたい場合、利用者が再度詳細スイッチ４０７を押すと図１６（ｆ）に示すようにそのコンテンツの詳細情報（ＤＴ）、例えば、お薦めがドラマ、映画等であった場合、出演者名、概略のストーリー等が表示される。
【００４２】
また、画面例には示していないがこの番組の操作パネルが表示されて操作メニューが表示される。
操作メニューは、例えば、「再生」、「停止」、「まき戻し」、「早送り」、「保存」、「削除」等であり、カーソルスイッチの操作Ｗにより選択される。
尚、各メニューを選択したときの動作は操作Ｗと共に示した通りである。（ステップ１１０８、１１０９）
（１１）．利用者がステップ１１０９の状態で再度詳細スイッチ４０７を押すと、ステップ１１００に戻り別の操作を行うことができる。（ステップ１１１０）
（１２）．ステップ１１０６で図１６（ｅ）に示す画面が表示されている状態でリモコン装置の決定キーであるカーソルスイッチ４０６を押し下げると、後述するように番組操作パネルが表示されてその番組の視聴等を行うことができる。（ステップ１１０７）
（１３）．ステップ１１００における表示の状態でリモコン装置の決定キーであるカーソルスイッチ４０６を押し下げると、選択可能なコンテンツとして最もお薦め度の高いコンテンツの視聴等を行うことができる。この場合の操作については後述する。（ステップ１１０２）
（１４）．ステップ１１００における表示の状態で、メニューキー４０３を押すと図１６（ｇ）に示すようにおすすめ画面の上部にメニューが表示され、前述したステップ１００８からの操作に戻ることができる。（ステップ１１０３、１１１１）
（１５）．ステップ１１００における表示の状態で、利用者がカーソルによりコンテンツ情報を選択しようとする場合、利用者はカーソルスイッチ４０６の操作により画面内のカーソルを移動させて図１６（ｈ）に示すように画面に表示されているコンテンツ情報（アイコン）を指示していくことができる。
【００４３】
この場合、お薦めのコンテンツ情報が表示されているエリア内のみカーソルを移動させることができる。（ステップ１１０４）
（１６）．ステップ１１０４の操作でカーソルにより指示したコンテンツを視聴しようとする場合、決定キーを押すことによりその番組を見ることが可能となる。この場合の操作については後述する。（ステップ１１１２、１１２０）
（１７）．選択するコンテンツを変更したい場合、カーソルをさらに上に（遠くに）移動させることができ、図１７（ａ）に示すようにカーソルをコンテンツ情報が配置されている円のエリア外に出すことができる。（ステップ１１１３、１１１６）
（１８）．ステップ１１１６のカーソルがコンテンツの配置されている円の外にある状態でカーソルスイッチの操作Ｗを行うと他のユーザモードが選択され、他のユーザのプロファイルに従ってコンテンツ情報が配置された図１７（ｂ）に示すような画面が表示され、その後ステップ１００５からの操作に戻る。（ステップ１１１７、１１２１）
（１９）．ステップ１１１２で選択するコンテンツを変更したい場合の他の方法として、カーソルスイッチ４０６を左右に押してカーソルを隣のエリアに移動させる方法を使用することができる。
カーソルが図１７（ｄ）に示すように隣のエリアに移動すると、コンテンツ情報が配置されている円が図１７（ｅ）に示すように回転して隣のエリアが図１７（ｆ）に示すように中央に表示される。
【００４４】
この結果、お薦めのコンテンツ情報が配置されたエリアの隣の他のジャンル等のコンテンツ情報が配置された画面となり、この画面に対してステップ１１００からの操作を行うことができる。（ステップ１１１５、１１１８、１１１９、１１２３）
（２０）．ステップ１１１２で選択するコンテンツ情報を変更したい場合のさらに他の方法として、ステップ１１００における表示の状態で利用者がいま画面の中央に表示されているお薦め以外のジャンル等の中からコンテンツ情報を選択しようとする場合、利用者は図１７（ｃ）に示すようにリモコン装置４００の回転ダイヤル４０５を回転させる。
これにより、表示画面は回転ダイヤル４０５の回転に従って回転させられて選択エリアが変更され、希望するジャンルのコンテンツ情報群が選択可能に中央部に表示される。（ステップ１１０５、１１２４）
（２１）．ステップ１１２４での表示画面の状態で、利用者はステップ１１００からの操作を行うことができ、また、利用者が決定キーを押せば選択可能なコンテンツ情報の中の最もお薦め度が高いものの視聴を行うことができる。（ステップ１１２５、１１２６）。
【００４５】
（２２）．ステップ１１１２で選択するコンテンツを変更したい場合のさらに他の方法としてリモコン装置４００のズームアップ／ズームダウンスイッチ４０４を押すことにより行う方法がある。
スイッチ４０４を押さずに決定キーを押せばその時カーソルが指示している番組を見ることが可能となる．（ステップ１１１４、１１２２）。
【００４６】
（２３）．図９に移って、いま、ズームアップスイッチが押されたとする。すると、図１７（ｇ）に示すように、カーソルのあたっているコンテンツ付近を中心に拡大表示されピントが合う。
ここで、決定キーを押せばこのときカーソルが指示しているコンテンツ情報の番組を見ることができる。（ステップ１２０１〜１２０３）
（２４）．ステップ１２０２の図１７（ｇ）に示す画像が表示されている状態で、ズームダウンキーが押されると元の状態に戻って図８のステップ１１００からの操作を行うことができる（ステップ１２０４、１２０５）。
【００４７】
（２５）．ステップ１２０２の図１７（ｇ）に示す画像が表示されている状態で詳細スイッチを押すと、図１７（ｈ）に示すようにこのときカーソルが指示しているコンテンツ情報のタイトル等が表示され、図８のステップ１１０６または１１０８からの操作を行うことが可能となる。（ステップ１２０６、１２０７）
（２６）．ステップ１２０２の図１７（ｇ）に示す画像が表示されている状態でメニュースイッチ４０３を押すと、図１８（ａ）に示すように現在表示されている画面の上部にメニューが表示され前述したステップ１００８からの操作に戻ることができる。（ステップ１２０８、１２０９）
（２７）．ステップ１２０２の図１７（ｇ）に示す画像が表示されている状態で、カーソルキーを使用して図１８（ｂ）に示すようにコンテンツを選択することができる。
カーソルキーによりコンテンツを変更選択し決定キーを押す操作Ｗを行うことにより、カーソルが指示しているコンテンツの番組を見ることができる。（ステップ１２１０〜１２１２）
（２８）．ステップ１２１１でカーソルによりコンテンツを変更していくとき、カーソルスイッチを左右にさらに押すと図１８（ｃ）に示すようにカーソルが隣のエリアに移動すると同時に、そのエリアを中心にしてズームダウンした状態に戻って図８のステップ１１００からの操作を行うことができる。（ステップ１２１３〜１２１５）
次に、前述までに説明したフローにおけるステップ１１０２、１１２０、１１２２、１１２６、１２０３で決定キーが押されたときの動作を図１０に示すフローを参照して引き続いて説明する。
尚、すでに説明しているが決定キーを押すことはリモコン装置４００の４方向カーソルスイッチ４０６を上下左右方向ではなく下方に押し下げることである。
【００４８】
（２９）．決定キーが押されると選択されたコンテンツの内容が表示される。コンテンツがＴＶ放映中、ＴＶ録画済み、ホームページ、データ放送、電子出版である場合、利用者は決定キーを押すだけで直ちにそのコンテンツを利用することができる。（ステップ１３０１〜１３０４）
（３０）．ステップ１３０３でのコンテンツの鑑賞がＴＶ放送中の番組であり、番組の終了まで見終わると図１８（ｄ）に示すようにそのコンテンツに対するアンケート調査表が表示される。
【００４９】
このアンケートは複数回答の１つを選択させる簡単な形式により行われ、カーソルスイイチにより選択して回答することができる。
利用者がこのアンケートに回答するとそれらの情報がプロファイルデータとして保存され、その後、ステップ１１０８に戻って次の操作を行うことができる。（ステップ１３０５〜１３０７）
（３１）．ステップ１３０３、１３０４でのコンテンツの鑑賞の途中で、利用者が鑑賞を中止して詳細スイッチ４０７を押すと前述と同様にそのコンテンツに対するアンケート調査表が表示される。
利用者がこのアンケートに回答すると、それらの情報がプロファイルデータとして保存され、その後ステップ１１０６または１１０８に戻って次の操作を行うことができる。（ステップ１３０８、１３０９、１３０７）
（３２）．ステップ１３０３、１３０４でのコンテンツの鑑賞の途中で、利用者が鑑賞を中止してメニュースイッチ４０３を押すと前述と同様にそのコンテンツに対するアンケート調査表が表示される。
利用者がこのアンケートに回答すると、それらの情報がプロファイルデータとして保存され、その後ステップ１００８に戻って次の操作を行うことができる。（ステップ１３１０、１３１１、１３０７）
（３３）．ステップ１３０３でのコンテンツの鑑賞の途中で、利用者が再度決定キーを押すと図１４に示すフローに移行する。
また、ステップ１３０４でのコンテンツの鑑賞の途中で利用者が再度決定キーを押すと、そのコンテンツが電子出版の場合には図１２に示すフローに移行し、そのコンテンツがホームページの場合、図１３に示すフローに移行する（ステップ１３１３、１３１４）。
【００５０】
（３４）．また、決定されたステップ１３０２のコンテンツがＴＶ録画予定（放映中であり鑑賞を並行に行う場合も含む）のもの或いはＴＶ録画済みのものであった場合、図１１に示すフローに移行する。（ステップ１３１２）
（３５）．図１１に示すフローに移って、ステップ１３０２で再度決定キーが押されると図１９（ａ）に示すようにそのコンテンツの詳細情報が表示されると共に、カーソルスイッチ４０６に対応する番組操作パネルが表示される。
利用者は表示された番組操作パネルに従ってカーソルスイッチ４０６を操作することにより、その番組の「再生」、「保存」、「消去」等を行うことができる。
また、「戻る」、「終了」により、お薦め画面、ＴＶ画面に戻ることができる。（ステップ１４０１、１４０２）
（３６）．図１２に示すフローに移って、前述のステップ１３０４でのコンテンツの鑑賞の途中で利用者により再度決定キーを押され、そのコンテンツが電子出版であった場合には図１９（ｂ）に示すようにそのコンテンツの詳細情報が表示されると共に、カーソルスイッチ４０６に対応する番組操作パネルが表示される。
利用者は表示された番組操作パネルに従ってカーソルスイッチ４０６を操作することにより、その出版物を「読む」、「消去する」、「保存する」等を行うことができる。
また、「戻る」、「終了」により、お薦め画面、ＴＶ画面に戻ることができる。（ステップ１５０１、１５０２）
（３７）．図１３に示すフローに移って、前述のステップ１３０４でのコンテンツの鑑賞の途中で、利用者により再度決定キーを押されそのコンテンツがホームページであった場合には図１９（ｃ）に示すようにそのコンテンツの詳細情報が表示されると共に、カーソルスイッチ４０６に対応する番組操作パネルが表示される。
利用者は表示された番組操作パネルに従ってカーソルスイッチ４０６を操作することにより、そのホームページを「観る」、「消去する」、「保存する」等を行うことができる。また、「戻る」、「終了」により、お薦め画面、ＴＶ画面に戻ることができる。（ステップ１６０１、１６０２）
（３８）．図１４に示すフローに移って、前述のステップ１３０３での放映中のＴＶ、録画済みのコンテンツの鑑賞の途中で、利用者が再度決定キーを押すと図１９１９（ｄ）に示すように、表示画面の中にカーソルスイッチ４０６に対応する番組操作パネルが表示される。
【００５１】
利用者は表示された番組操作パネルに従ってカーソルスイッチ４０６を操作することにより、その番組の一時停止、早送り巻き戻し等を行うことができる。
また、「戻る」、「終了」により、お薦め画面、ＴＶ画面に戻ることができる。（ステップ１７０１、１７０２）
（３９）．図１２、図１３に示すフローにより説明した電子出版物、ホームページを読んでいるときに、決定キーを押すと図１５に示すフローに移り図１８（ｅ）に示すようにブラウザの操作パネルが表示される。
この操作パネルで終了を指示すればお薦め画面に戻り、その他のパネル内の操作指示に従った操作を行えばブラウザとしての専用の操作を行うことができる（ステップ１８０１、１８０２）。
【００５２】
図２０は初期状態においてプロファイルデータにユーザの好みを設定する方法を説明する図、図２１は前述の図１０に示したフローにより作成されたプロファイルデータの具体例を説明する図、図２２はコンテンツ・ガイド・データについて説明する図であり、以下、プロファイルデータについて説明する。
【００５３】
図２０に示すように、初期状態において、利用者がプロファイルデータの初期登録を図示しない手段により指示すると、画面に多数のジャンル名とそれに対する点数付けのための数値ラインが表示される。
【００５４】
この数値ラインは左端が見たい（得点１００）、右端が見たくない（得点０）と定義付けされており、初期設定を行おうとする利用者は、カーソルで１つのジャンルを選択した後、カーソルをライン上に自分の見たい程度を示す位置に移動させ、決定キーを押す操作を全てのジャンルに対して行い最後に、もう一度決定キーを押す。以上によりその利用者の初期データが設定されたプロファイルが作成される。
【００５５】
前述のように作成された利用者毎のプロファイルはその利用者が処理装置を使用してＴＶ番組等の何らかのコンテンツを見たときに更新されていく。
ユーザ毎のプロファイルデータは図２１に示すように、ジャンル別、時間帯別に得点の高い順にジャンルを並べて示すユーザ・ジャンル・プロファイル・テーブル、キーワードに対する得点をジャンル別に得点の他界順に並べたユーザ・キーワード・プロファイル・テーブル等により構成される。
【００５６】
図２２に示すコンテンツ・ガイド・データは図２２（ａ）乃至図２２（ｃ）に示すように、映像番組・データ放送、ホームページ、電子出版のそれぞれに属する複数のコンテンツについて作成されており、その内容は前述のフローの中で詳細スイッチが押されたときに表示される内容であってよい。
そして、このデータはプロファイル内の各コンテンツに対する得点を変更する際にも参照される。
【００５７】
すなわち、利用者がコンテンツを視聴したとき、あるいは保存したときにそのコンテンツのコンテンツ・ガイド・データが参照され、その利用者のプロファイルデータ内に同一のジャンル表記、キーワードがあればプロファイルデータのジャンル、キーワードに視聴時間に従った得点を加算していく。
【００５８】
前述のようにして作成されたプロファイルデータは前述で説明した操作フローの中でコンテンツを選択させる画面例においてその画面を表示するために参照され、その時点で最も手前側に最も得点の高いコンテンツ情報が配置されて表示される。
また、前述したフローの説明におけるお薦め画面の作成は前述した利用者毎のプロファイルデータの中のジャンル別、キーワード別、時間帯別の例えば得点ベスト６等を集めたものとして作成することができる。
【００５９】
図２３は図３における処理装置７００がオフィス等に置かれたＰＣである場合のプロファイルへのアクセスの処理を説明するフローチャートであり、以下これについて説明する。
図３における処理装置７００がオフィス等に置かれたＰＣである場合、そのＰＣは他の人でも使用可能である場合が一般的であるので、個人のものであるプロファイルを他の人がアクセスすることができないようにする必要がある。
【００６０】
図２３に示すフローはこのような場合のために個人の認証確認の処理行われた後にプロファイルへのアクセスを可能としたものである。
（１）．ＰＣの起動後、個人認証のためのパスワード等の入力が行われると、ＰＣに接続されるサービス・プロバイダ６００はこのパスワードが正しいものか否かチェックし、正しい場合にその利用者のプロファイルに対するアクセスを許可する。（ステップ１９０１、１９０２）
（２）．その後、利用者はサービス・プロバイダ６００内の自分のユーザプロファイル６０１からのデータに基づいてお薦め情報、あるいは他の希望する情報の視聴を行うことができ、視聴後に視聴データがユーザプロファイル内に学習される。（ステップ１９０３〜１９０５）
前述した本発明の実施形態によれば、複数のコンテンツ情報を三次元的に配置すると共に、種類の異なるコンテンツ情報を左右方向に表示し、利用者の利用度合が高いものほど手前側に表示するようにして奥行方向の表示を行っているので、利用者はあたかも自分が平面上に居て周囲にあるものを選択する感じで容易に情報の選択を行うことができる。
また、前述した本発明の実施形態によれば、複数のメディアの情報に対する利用者の過去の利用記録に基づいて前記情報に利用度合を表す変数を付与した複数種類のプロファイルを作成し、作成されたプロファイルの少なくとも１つに基づいてコンテンツ情報を表示するようにしているので、利用者が最も好むコンテンツ情報を即座に選択させることができる。
【００６１】
次に、図５及び図６に示した本発明の基本的な考え方をカーナビゲーションシステムや高度道路交通システムと呼ばれる自動車情報システムに導入した実施例を以下に説明する。
図２４は自動車情報システムの構成図を示しており、自動車には各種の情報が取り込めるようになっている。
各種の情報にはＧＰＳ衛星からの自動車位置に関する情報、航空会社や鉄道の指定券予約や発券に関する情報、道路情報センタからの渋滞や交通規制に関する情報、銀行との取引に関する情報、観光案内・予約センタからのホテルやレストランの案内・予約或いは行楽に関する情報及びオフィスコンピュータやパソコンの呼出と作業処理に関する情報等が考えられる。
【００６２】
そして、これらの情報は自動車に搭載されているアンテナ、携帯電話或いは電話機能を有する携帯端末を介して取り込まれる。
【００６３】
ここで、ＧＰＳ衛星からの自動車位置に関する情報、道路情報センタからの渋滞や交通規制に関する情報といった一方向通信はアンテナを介して受信される。
一方、航空会社や鉄道の指定券予約や発券に関する情報、銀行との取引に関する情報、観光案内・予約センタからのホテルやレストランの案内・予約或いは行楽に関する情報及びオフィスコンピュータやパソコンの呼出と作業処理に関する情報といった双方向通信は携帯電話や電話機能を有する携帯端末を介して受信及び送信される。
【００６４】
このような、自動車情報システムは図２に示す処理装置と同様の処理装置を用いて情報処理される。
すなわち、アンテナ２００を介してＧＰＳ衛星からの自動車位置に関する情報、道路情報センタからの渋滞や交通規制に関する情報といった一方向通信が受信される。
【００６５】
また、電話回線５００を携帯電話や電話機能を有する携帯端末と置き換えることによって、航空会社や鉄道の指定券予約や発券に関する情報、銀行との取引に関する情報、観光案内・予約センタからのホテルやレストランの案内・予約或いは行楽に関する情報及びオフィスコンピュータやパソコンの呼出と作業処理に関する情報といった双方向通信が受信及び送信される。
【００６６】
指定券の予約や発券或いは銀行取引等の金銭の授受がある場合にはＩＣカード９０による電子商取引システム８０が処理装置１００に搭載され、この電子商取引システム８０はコマンド受信部１１３及びユーザプロファイル１０５から情報を受信する。
したがって、電子商取引システム８０が起動されると、電子商取引システム８０はディスプレイ３００に詳細情報を表示してコマンド受信部部１１３からのコマンドに従い商取引を実行する。
【００６７】
このような自動車情報システムのインタフェース画面の具体例が図２５に示されており、この例では利用者が立っている中心から前方のコンテンツ情報のみが見えているが、後方にもコンテンツ情報は配置されている。
【００６８】
そして、図２５に示す例では双方向通信である行楽に関するコンテンツジャンル（ＶＡ）、パソコン等による書類、図面等の検索、編集といった情報処理に関するコンテンツジャンル（ＦＬ）、指定券の予約や発券に関するコンテンツジャンル（ＲＶ）、銀行取引に関するコンテンツジャンル（ＢＡ）及び一方向通信である交通情報に関するコンテンツジャンル（ＴＲ）というように複数のコンテンツ表示区域が設定されており、それぞれのコンテンツ表示区域にそれぞれに対応するコンテンツ情報が配置されている。
コンテンツ表示区域は図５にある通り各ジャンルに分けられているが、図２５に示すものは少なくとも一方向通信によるコンテンツと双方向通信によるコンテンツの２つのジャンルに分け、更に双方向通信によるコンテンツは４つのジャンルに細分されている。
この場合のコンテンツ情報はＶＦＡ１、ＦＬ１〜ＦＬ３、ＲＶ１〜ＲＶ６、ＢＡ１〜ＢＡ３４、ＴＲＡ１等で表示してある。
尚、この図には見えない後方にも図５と同様に他のコンテンツ情報が配置されており、リモコン装置４００の回転ダイヤル４０５を操作することによって視野を左右に変化させ画面内に呼び出すことができる。
【００６９】
そして、前述したように各コンテンツ情報表示区域にはお薦め度が高いもの、或いは、利用者の興味の大きいもの、或いは利用回数の多いものといった利用度合が高いものから奥行方向に向かって大きさが順次小さくなる順番で並べられている。
このような自動車情報システムによれば、複数のコンテンツ情報を三次元的に配置すると共に、種類の異なるコンテンツ情報を左右方向に表示し、利用者の利用度合が高いものほど手前側に表示するようにして奥行方向の表示を行っているので、利用者はあたかも自分が平面上に居て周囲にあるものを選択する感じで容易に情報の選択を行うことができる。
【図面の簡単な説明】
【００７０】
【図１】本発明の一実施形態によるマルチメディア情報の処理装置の構成例を示すブロック図である。
【図２】本発明の一実施形態によるマルチメディア情報の処理装置の他の構成例を示すブロック図である。
【図３】本発明の一実施形態によるマルチメディア情報の処理システムの構成例を示すブロック図である。
【図４】リモコン装置の構成例を示す図である。
【図５】本発明による情報選択のためのガイド画面例を説明する図である。
【図６】ガイド画面の基本的な考え方を説明する図である。
【図７】本発明の実施形態による処理装置を使用して視聴する情報を選択する操作とそれによる動作とを説明するフローチャートである。
【図８】本発明の実施形態による処理装置を使用して視聴する情報を選択する操作とそれによる動作とを説明するフローチャートである。
【図９】本発明の実施形態による処理装置を使用して視聴する情報を選択する操作とそれによる動作とを説明するフローチャートである。
【図１０】本発明の実施形態による処理装置を使用して視聴する情報を選択する操作とそれによる動作とを説明するフローチャートである。
【図１１】本発明の実施形態による処理装置を使用して視聴する情報を選択する操作とそれによる動作とを説明するフローチャートである。
【図１２】本発明の実施形態による処理装置を使用して視聴する情報を選択する操作とそれによる動作とを説明するフローチャートである。
【図１３】本発明の実施形態による処理装置を使用して視聴する情報を選択する操作とそれによる動作とを説明するフローチャートである。
【図１４】本発明の実施形態による処理装置を使用して視聴する情報を選択する操作とそれによる動作とを説明するフローチャートである。
【図１５】本発明の実施形態による処理装置を使用して視聴する情報を選択する操作とそれによる動作とを説明するフローチャートである。
【図１６】操作に従って順次表示される画面例を示す図である。
【図１７】操作に従って順次表示される画面例を示す図である。
【図１８】操作に従って順次表示される画面例を示す図である。
【図１９】操作に従って順次表示される画面例を示す図である。
【図２０】初期状態においてプロファイルデータにユーザの好みを設定する方法を説明する図である。
【図２１】図１０に示したフローにより作成されたプロファイルデータの具体例を説明する図である。
【図２２】コンテンツ・ガイド・データについて説明する図である。
【図２３】図３における処理装置７００がオフィス等に置かれたＰＣである場合のプロファイルへのアクセスの処理を説明するフローチャートである。
【図２４】自動車情報システムのシステム構成図である。
【図２５】自動車情報システムに使用される表示装置の情報選択のためのガイド（インタフェース）画面例を説明する図である。
【符号の説明】
【００７１】
１００…処理装置、１０１、１０１'…信号分離装置、１０２…情報デコーダ、１０３…情報バッファ、１０４…比較部、１０５…ユーザプロファイル、１０６…Ａ／Ｖデコーダ、１０７…映像記録装置、１０８…表示映像切り替え部、１０９…ガイド画面作成部、１１０…ファイリング装置、１１１…時計カレンダー、１１２…表示データ選定部、１１３…コマンド受信部、１１４…ＷＷＷブラウザ、１１５…最新情報バッファ、２００…アンテナ、３００…ディスプレイ、４００…リモコン装置、４０１…リモコン装置本体部、４０２…電源スイッチ、４０３…メニュースイッチ、４０４…ズームアップ／ズームダウンスイッチ、４０５…回転ダイヤル、４０６…カーソルスイッチ、４０７…詳細スイッチ、４１０…赤外線発光部、４１１…回線基板、４１２…タクトスイッチ、４１３…回転検出部、４１４…接続ＩＣ、５００…通信回線、６００…サービス・プロバイダ、７００…処理装置、７０１…比較部、７０２…最新情報バッファ、７０３…ＷＷＷブラウザと、７０４…ファイリング装置、７０５…操作部、８００…ディスプレイ、９００…携帯電話機。
【図１】
0004446967.tif 000002
【図２】
0004446967.tif 000003
【図３】
0004446967.tif 000004
【図４】
0004446967.tif 000005
【図５】
0004446967.tif 000006
【図６】
0004446967.tif 000007
【図７】
0004446967.tif 000008
【図８】
0004446967.tif 000009
【図９】
0004446967.tif 000010
【図１０】
0004446967.tif 000011
【図１１】
0004446967.tif 000012
【図１２】
0004446967.tif 000013
【図１３】
0004446967.tif 000014
【図１４】
0004446967.tif 000015
【図１５】
0004446967.tif 000016
【図１６】
0004446967.tif 000017
【図１７】
0004446967.tif 000018
【図１８】
0004446967.tif 000019
【図１９】
0004446967.tif 000020
【図２０】
0004446967.tif 000021
【図２１】
0004446967.tif 000022
【図２２】
0004446967.tif 000023
【図２３】
0004446967.tif 000024
【図２４】
0004446967.tif 000025
【図２５】
0004446967.tif 000026